(57)【要約】【課題】修正用塗膜等が付着された塗膜付き転写テープを紙面に押圧して、紙面上にその塗膜を転写する塗膜転写具において、転写具を曲線に沿って移動したときにも、転写テープがヘッドに対して左右に移動することがなく、転写テープに皺が発生したり、転写ヘッドから外れたりすることを防止できる塗膜転写具を提供する。【解決手段】塗膜転写具の転写ヘッド４７において、その転写ヘッド４７の上面４９が、転写ヘッド４７の先端部分４１から長手方向所定の位置まで、長手方向に対して直交する断面において、下側に凸となるような窪み５１が形成されている。テープ５３はこの窪みの面に貼り付く形となり、左右への移動は窪みの傾斜面により阻止される。【選択図】      図３
2004306488.tif 000002
【特許請求の範囲】
【請求項１】
ケースと、該ケース内に回転可能に支承された供給リールと巻上げリールと、長手方向先端を前記ケースから突出させた状態で前記ケース内に取り付けられた転写ヘッドと、前記供給リールから前記転写ヘッドの下面側、先端部そして上面側を伝って前記巻上げリールへ伸びている転写テープとを備えた塗膜転写具において、前記転写ヘッドの上面に、その先端部から長手方向所定の位置まで、長手方向に対して直交する断面において、下側に凸となるような窪みが形成されていることを特徴とする、塗膜転写具。
【請求項２】
請求項１記載の塗膜転写具において、前記窪みは、長手方向に対して直交する断面において、下側に半円弧状に湾曲している、塗膜転写具。
【請求項３】
請求項１記載の塗膜転写具において、前記窪みは、長手方向に対して直交する断面において、下側に台形状に窪んでいる、塗膜転写具。
【発明の詳細な説明】
【０００１】
【発明の属する技術分野】
本発明は、例えば修正用塗膜等が付着された塗膜付きテープを紙面に押圧して、該紙面上にその塗膜を転写する塗膜転写具に関する。さらに詳細に言えば、塗膜付きテープを紙面上に押圧する転写ヘッドを改良した塗膜転写具に関する。
【０００２】
【従来の技術】
従来より、例えば紙面上の文字等を消去するための方法の一つとして、修正用塗膜を付着してなる塗膜付きテープを、紙面に押圧して転写する塗膜転写具が用いられている。この塗膜転写具の構成の一例が、特許第２９９５６５９号に示されている。
【０００３】
図１に示すように、この塗膜転写具Ａは、大略、ケース１と、該ケース１内にそれぞれ支軸をもって枢支されている供給リール３と巻上げリール５と、ケース１内に固定されている転写ヘッド７と、供給リール３と巻上げリール５に巻付けられた転写テープ９からなる。転写ヘッド７の先端部分１１は、ケース１から突出しており、転写テープ９は供給リール３から供給され、転写ヘッド７の先端部分１１を折り返した後、巻上げリール５に巻き上げられる。そして、転写テープ９に塗布されている転写用塗膜１３は、ケース１の転写ヘッド７を紙面１５に押し当てながら図１に示す矢印方向に移動させることによって、紙面１５に転写される。
【０００４】
図２は、転写ヘッド７の斜視図である。この転写ヘッド７は、細長い板状の本体部１７を備え、その本体部１７のケース１から突出する先端部分１１において、両側縁に沿って本体部１７に直交する面内で伸びるガイド板２１が、それぞれ形成されている。また、本体部１７の後端には、本体部１７の長手方向に直角の方向に伸びる突起部２３が、上下方向にそれぞれ２つ突出して形成され、この突起部２３の間に、凹部２５がそれぞれ形成されている。この凹部２５に、ケース１の内壁上に間隔を開けて対をなして突出している支持突起２７が嵌まり、これによって転写ヘッド７がケース１に取り付けられている。この本体部１７は、長手方向途中から先端に行くに従って、漸時厚みが小さくなっている。また、本体部１７の上面２９は、平面になっている。
【０００５】
【特許文献１】
特許第２９９５６５９号明細書（第１頁及び第２頁、第２図）
【０００６】
【発明が解決しようとする課題】
塗膜転写具Ａは、直線状に移動させる場合が多いが、時として紙面上を若干曲線を描くように移動させる場合もある。そして、例えば、進行方向右側に曲線を描きつつ移動させる場合、転写テープ９は、転写ヘッド７に対しその幅方向の左側に移動しようとする。この転写ヘッド７の本体部１７の上面２９は平らであるため、転写テープ９の擦れを防止することができない。そして、移動した転写テープ９はガイド板２１に押し付けられることとなるが、転写テープ９自体に剛性が無いため、転写テープ９には、ガイド板２１に押し付けられたことによる皺が発生し、さらに、転写テープ９がガイド板２１を乗り越えて、転写ヘッド７から外れてしまうこともある。そのため、修正用途膜１３の紙面１５への貼付に、支障を来すという問題点があった。
【０００７】
本発明は、上記従来の問題点に鑑みなされたものであり、転写テープが転写ヘッドに対して、その幅方向の左右に移動することを防止し、転写テープに皺が発生したり、さらには、転写ヘッドから外れてしまうということを防止することができる塗膜転写具を提供することを目的としている。
【０００８】
【課題を解決するための手段】
上記目的を達成するために、ケースと、該ケース内に回転可能に支承された供給リールと巻上げリールと、長手方向先端を前記ケースから突出させた状態で前記ケース内に取り付けられた転写ヘッドと、前記供給リールから前記転写ヘッドの下面側、先端部そして上面側を伝って前記巻上げリールへ伸びている転写テープとを備えた塗膜転写具において、前記転写ヘッドの上面に、その先端部から長手方向所定の位置まで、長手方向に対して直交する断面において、下側に凸となるような窪みが形成されている構成とした。
【０００９】
ある実施の形態では、転写ヘッド上面の窪みは、長手方向に対して直交する断面において、下側に半円弧状に湾曲している構成とした。
【００１０】
また他の実施の形態では、その窪みは、長手方向に対して直交する断面において、下側に台形状に窪んでいる構成とした。
【００１１】
【発明の実施の形態】
以下、図面に基づき本願発明の具体的実施の形態を説明するが、本願発明は以下の実施例に限定されることなく、特許請求の範囲に記載した発明の範囲内で、種々の変形が可能であり、それらも本願発明の範囲に含まれるものである。
【００１２】
図３は、本願発明の具体的実施の形態に係る塗膜転写具の、転写ヘッド４７の先端側の部分のみを示す斜視図である。この転写ヘッド４７の上面４９には、その転写ヘッド４７の先端である先端部分４１から長手方向所定の位置まで、窪み５１が設けられている。その窪み５１の形状は、長手方向に対して直交する断面で、下側に凸となる円弧状をしている。この窪み５１の深さは、転写ヘッド４７の後方に行くに従って浅くなり、所定の位置から転写ヘッド４７の後端側は、平らな平面５５となっている。なお、円弧３１の曲率は、一定である必要は無く、転写ヘッド４７の幅方向での、中央付近で曲率が小さく、左右端付近で曲率が大きくなってもよい。
【００１３】
転写テープ５３は、巻上げリール（図示せず）により巻き上げられるため、転写ヘッド４７の上面４９における転写テープ５３には、転写ヘッド４７の後方に向かって張力が働いており、上面４９には、上面４９の窪み５１の形状に倣って、転写テープ５３が貼りついている。そのため、この転写テープ５３が転写ヘッド４７に対してその幅方向にずれようとするとき、窪み５１の幅方向での傾斜によって、転写テープ５３と上面４９との間に摩擦が生じ、そのため、転写テープ５３は転写ヘッド４７の幅方向に移動することがなく、転写ヘッド４７から外れることがない。
【００１４】
なお、転写テープ５３の幅方向への移動が阻止されるので、従来技術におけるガイド板２１が不要となり、ガイド板２１に転写テープ５３が押し付けられることによる皺も発生しない。なお、この円弧３１の曲率は、転写テープ５３のずれを防止するのに十分な曲率であれば足りる。なお、従来は、使用する転写テープ９の幅に合わせて転写ヘッド７の幅を決め、それにガイド板２１を設けていたが、本願発明においては、転写テープ５３の擦れが防止されるので、１種類の転写ヘッド４７で、その転写ヘッド４７の幅が許容する範囲内で、幅の異なる複数種類の転写テープ５３に対応することができる。
【００１５】
図４は、本願発明第２の具体的実施の形態に係る塗膜転写具の、転写ヘッド６７の先端辺りの部分のみを示す斜視図である。この第２の実施の形態において、第１の実施の形態と異なるのは、その窪み７７の形状のみである。すなわち、この転写ヘッド６７の上面６９には、その転写ヘッド６７の先端にある先端部分７１から長手方向所定の位置まで、長手方向に対して直交する断面で、下側に等脚台形となるように窪んでいる窪み７７が設けられている。なお、台形部分の脚部３３は、直線の他、下方に僅かに凹んだ曲率をなす円弧でもよい。また、この窪み７７の深さは、転写ヘッド６７の後方に行くに従って浅くなり、所定の位置から転写ヘッド６７の後端側は、平らな平面７５となっている。この転写ヘッド６７の作用については、上記第１の実施の形態から明らかなので、その説明は省略する。
【００１６】
【発明の効果】
上記説明から明らかなように、本発明では、紙面１５上の修正部分が直線でない場合でも、転写テープ５３，７３が、その幅方向の左右に移動することがなく、転写テープ５３，７３に皺が発生したり、また、転写ヘッド４７，６７から外れることを防止できる。また、従来転写ヘッドに設けていたガイド板が不要となり、ヘッドの形状が単純になる。さらには、１種類の転写ヘッド４７，６７で、その転写ヘッド４７，６７の幅が許容する範囲内で、幅の異なる複数種類の転写テープ５３，６７に対応することができる。
【図面の簡単な説明】
【図１】従来技術の具体的実施の形態に係る塗膜転写具の全体断面図である。
【図２】従来技術の具体的実施の形態に係る塗膜転写具の、転写ヘッドの斜視図である。
【図３】本願発明の具体的実施の形態に係る塗膜転写具の、転写ヘッドの先端側部分の斜視図である。
【図４】本願発明の具体的実施の形態に係る塗膜転写具の、転写ヘッドの第２の実施の形態を示す先端側部分の斜視図である。
【符号の説明】
Ａ            塗膜転写具
１            ケース
３            供給リール
５            巻上げリール
４７、６７      転写ヘッド
５３、７３      転写テープ
４１、７１      先端部分
４９、６９      上面
３１            円弧
３３            脚部
３５            下縁
５１、７７      窪み
５５、７５      平面
【図１】
2004306488.tif 000003
【図２】
2004306488.tif 000004
【図３】
2004306488.tif 000005
【図４】
2004306488.tif 000006